(57)【要約】【課題】画像印刷装置において、紙幣の偽造目的で紙幣の画像を印刷する行為を未然に防ぐ。【解決手段】画像印刷装置は、原稿画像印刷動作において、原稿画像のサイズを検出し（＃２１）、原稿画像のサイズが紙幣のサイズと同じであれば（＃２２でＹＥＳ）、印刷用紙に印刷される画像の色合いが原稿画像の色合いと異なる旨を表示すると共に（＃２５）、原稿画像を読取って（＃２６）、原稿画像の色合いと異なる色合いで印刷される画像を表示する（＃２８）。そして、ユーザにより原稿画像の色合いと異なる色合いの画像が印刷されることを認める認許指示がなされると（＃２９でＹＥＳ）、上記＃２６において読取った画像を、原稿画像の色合いと異なる色合いで（すなわち、上記＃２８において表示した画像の色合いで）印刷する（＃３０）。【選択図】図４
2008211724.tif 000002
【特許請求の範囲】
【請求項１】
原稿に描かれた原稿画像を読取って印刷する画像印刷装置と、この画像印刷装置に接続されて該画像印刷装置の制御用のソフトウェアであるプリンタドライバがインストールされるパーソナルコンピュータ（以下、パソコンという）とを有し、
原稿に描かれた原稿画像を読取る画像読取手段と、印刷用紙に画像を印刷する印刷手段と、画像を表示する画像表示手段と、前記画像印刷装置の動作を制御する制御手段とを備え、
前記制御手段は、
前記パソコン側のプリンタドライバを含み、
前記プリンタドライバを前記パソコンにインストールするドライバインストール動作を制御し、
また、原稿に描かれた原稿画像を前記画像読取手段により読取って、前記画像読取手段により読取って得た読取画像を前記印刷手段により印刷用紙に印刷する原稿画像印刷動作を制御する画像印刷システムにおいて、
前記原稿画像のサイズを検出する画像サイズ検出手段と、
紙幣のサイズを示す紙幣サイズ情報を記憶するための紙幣サイズメモリと、をさらに備え、
前記制御手段は、
前記ドライバインストール動作において、
前記パソコンに設定されている使用言語及び時刻に基いて前記画像印刷装置が使用される地域を特定し、該特定した地域で使用される紙幣のサイズを示す紙幣サイズ情報及び世界的に使用される紙幣のサイズを示す紙幣サイズ情報を、前記パソコンに記憶させると共に前記パソコンから前記画像印刷装置に送信させて前記紙幣サイズメモリに記憶させ、
前記原稿画像印刷動作において、
前記画像サイズ検出手段により前記原稿画像のサイズを検出させ、
前記原稿画像のサイズが前記紙幣サイズメモリに記憶されている紙幣サイズ情報の示す全ての紙幣のサイズと異なっている場合、
前記読取画像を、前記原稿画像の色合いと同じ色合いで、前記印刷手段により印刷用紙に印刷させ、
前記原稿画像のサイズが前記紙幣サイズメモリに記憶されている紙幣サイズ情報の示す何れかの紙幣のサイズと同じである場合、
印刷用紙に印刷される画像の色合いが前記原稿画像の色合いと異なる旨、及び前記原稿画像の色合いと異なる色合いで印刷される画像を、前記画像表示手段及び前記パソコンに備えられた外部画像表示手段に表示させ、
その後、ユーザにより原稿画像の色合いと異なる色合いの画像が印刷されることを認める指示がなされると、前記読取画像を、前記原稿画像の色合いと異なる、前記画像表示手段及び前記パソコンに備えられた外部画像表示手段に表示させた画像の色合いで、前記印刷手段により印刷用紙に印刷させる、
ことを特徴とする画像印刷システム。
【請求項２】
原稿に描かれた原稿画像を読取る画像読取手段と、印刷用紙に画像を印刷する印刷手段と、本装置の動作を制御する制御手段とを備え、
前記制御手段は、原稿に描かれた原稿画像を前記画像読取手段により読取って、前記画像読取手段により読取って得た読取画像を前記印刷手段により印刷用紙に印刷する原稿画像印刷動作を制御する画像印刷装置において、
前記制御手段は、
前記原稿画像印刷動作において、
前記原稿画像のサイズが紙幣のサイズと同じである場合、
印刷用紙に印刷される画像の色合いが前記原稿画像の色合いと異なる旨を、本装置に備えられた画像表示手段又は外部機器に備えられた外部画像表示手段に表示させ、
その後、ユーザにより原稿画像の色合いと異なる色合いの画像が印刷されることを認める指示がなされると、前記読取画像を、前記原稿画像の色合いと異なる色合いで、前記印刷手段により印刷用紙に印刷させる、
ことを特徴とする画像印刷装置。
【請求項３】
前記制御手段は、
前記原稿画像印刷動作において、
前記原稿画像のサイズが紙幣のサイズと同じである場合、
印刷用紙に印刷される画像の色合いが前記原稿画像の色合いと異なる旨に加え、前記原稿画像の色合いと異なる色合いで印刷される画像を、本装置に備えられた画像表示手段又は前記外部機器に備えられた外部画像表示手段に表示させる、
ことを特徴とする請求項２に記載の画像印刷装置。
【発明の詳細な説明】
【技術分野】
【０００１】
本発明は、印刷用紙に画像を印刷する画像印刷装置及び画像印刷システムに関するものである。
【背景技術】
【０００２】
従来から、画像印刷装置において、原稿に描かれた原稿画像を読取って、その画像を印刷用紙に印刷するものがある。このような画像印刷装置は、紙幣の偽造に悪用されるケースがある。そこで、紙幣の偽造を防止する機能を設けた画像印刷装置が知られている（例えば特許文献１乃至特許文献３参照）。
【０００３】
特許文献１に記載の画像印刷装置は、原稿に描かれた原稿画像を読取って、その読取った画像を解析することにより、原稿が紙幣であるか否かを判別し、原稿画像が紙幣の画像である場合には、印刷する画像中の薄色の背景色を無色にするというものである。また、特許文献２に記載の画像印刷装置は、原稿のサイズを検出して、原稿のサイズが紙幣のサイズと同じであるか否かを判断し、原稿のサイズが紙幣のサイズと同じである場合には、画像の印刷を禁止するというものである。また、特許文献３に記載の画像印刷装置は、印刷する画像に画像印刷装置の機体番号を示すドットパターンを付加するというものである。
【特許文献１】特開平６−３０２５６号公報
【特許文献２】特開２００４−２１９８９３号公報
【特許文献３】特許第３７９９２６１号公報
【発明の開示】
【発明が解決しようとする課題】
【０００４】
ところで、紙幣の偽造防止については、紙幣の偽造を物理的に防止することは当然ながら、ユーザに紙幣の画像を印刷しようとする考えを起こさせないようにすることによって、紙幣の画像を印刷する行為そのものを未然に防ぐのが望ましい。なお、上述した特許文献１乃至特許文献３に記載の画像印刷装置は、ユーザに紙幣の画像を印刷しようとする考えを起こさせないようにすることについては、何等開示されていない。従って、これら特許文献１乃至特許文献３に記載の構成を適用したとしても、上記の問題を解決することはできない。
【０００５】
また、上述した特許文献１に記載の画像印刷装置においては、原稿から読取った画像を解析して、原稿が紙幣であるか否かを判別するようにしているため、画像を解析するための多くのデータや処理が必要となる。また、上述した特許文献２に記載の画像印刷装置においては、原稿のサイズが紙幣のサイズと同じである場合に、画像の印刷を禁止するようにしているため、紙幣と同じサイズの紙幣以外の原稿については、原稿の画像を読取って印刷することができない。
【０００６】
本発明は、上記課題を解決するためになされたものであり、紙幣の偽造目的で紙幣の画像を印刷する行為を未然に防ぐことができる画像印刷装置及び画像印刷システムを提供することを目的とする。
【課題を解決するための手段】
【０００７】
上記目的を達成するために請求項１の発明は、原稿に描かれた原稿画像を読取って印刷する画像印刷装置と、この画像印刷装置に接続されて該画像印刷装置の制御用のソフトウェアであるプリンタドライバがインストールされるパーソナルコンピュータ（以下、パソコンという）とを有し、原稿に描かれた原稿画像を読取る画像読取手段と、印刷用紙に画像を印刷する印刷手段と、画像を表示する画像表示手段と、画像印刷装置の動作を制御する制御手段とを備え、制御手段は、パソコン側のプリンタドライバを含み、プリンタドライバをパソコンにインストールするドライバインストール動作を制御し、また、原稿に描かれた原稿画像を画像読取手段により読取って、画像読取手段により読取って得た読取画像を印刷手段により印刷用紙に印刷する原稿画像印刷動作を制御する画像印刷システムにおいて、原稿画像のサイズを検出する画像サイズ検出手段と、紙幣のサイズを示す紙幣サイズ情報を記憶するための紙幣サイズメモリと、をさらに備え、制御手段は、ドライバインストール動作において、パソコンに設定されている使用言語及び時刻に基いて画像印刷装置が使用される地域を特定し、該特定した地域で使用される紙幣のサイズを示す紙幣サイズ情報及び世界的に使用される紙幣のサイズを示す紙幣サイズ情報を、パソコンに記憶させると共にパソコンから画像印刷装置に送信させて紙幣サイズメモリに記憶させ、原稿画像印刷動作において、画像サイズ検出手段により原稿画像のサイズを検出させ、原稿画像のサイズが紙幣サイズメモリに記憶されている紙幣サイズ情報の示す全ての紙幣のサイズと異なっている場合、読取画像を、原稿画像の色合いと同じ色合いで、印刷手段により印刷用紙に印刷させ、原稿画像のサイズが紙幣サイズメモリに記憶されている紙幣サイズ情報の示す何れかの紙幣のサイズと同じである場合、印刷用紙に印刷される画像の色合いが原稿画像の色合いと異なる旨、及び原稿画像の色合いと異なる色合いで印刷される画像を、画像表示手段及びパソコンに備えられた外部画像表示手段に表示させ、その後、ユーザにより原稿画像の色合いと異なる色合いの画像が印刷されることを認める指示がなされると、読取画像を、原稿画像の色合いと異なる、画像表示手段及びパソコンに備えられた外部画像表示手段に表示させた画像の色合いで、印刷手段により印刷用紙に印刷させるものである。
【０００８】
請求項２の発明は、原稿に描かれた原稿画像を読取る画像読取手段と、印刷用紙に画像を印刷する印刷手段と、本装置の動作を制御する制御手段とを備え、制御手段は、原稿に描かれた原稿画像を画像読取手段により読取って、画像読取手段により読取って得た読取画像を印刷手段により印刷用紙に印刷する原稿画像印刷動作を制御する画像印刷装置において、制御手段は、原稿画像印刷動作において、原稿画像のサイズが紙幣のサイズと同じである場合、印刷用紙に印刷される画像の色合いが原稿画像の色合いと異なる旨を、本装置に備えられた画像表示手段又は外部機器に備えられた外部画像表示手段に表示させ、その後、ユーザにより原稿画像の色合いと異なる色合いの画像が印刷されることを認める指示がなされると、読取画像を、原稿画像の色合いと異なる色合いで、印刷手段により印刷用紙に印刷させるものである。
【０００９】
請求項３の発明は、請求項２に記載の画像印刷装置において、制御手段は、原稿画像印刷動作において、原稿画像のサイズが紙幣のサイズと同じである場合、印刷用紙に印刷される画像の色合いが原稿画像の色合いと異なる旨に加え、原稿画像の色合いと異なる色合いで印刷される画像を、本装置に備えられた画像表示手段又は外部機器に備えられた外部画像表示手段に表示させるものである。
【発明の効果】
【００１０】
請求項１の発明によれば、原稿の画像を読取って印刷するとき、原稿画像のサイズが紙幣のサイズと同じである場合には、印刷される画像の色合いが原稿画像の色合いと異なる旨、及び原稿画像の色合いと異なる色合いで印刷される画像が画像表示手段及び外部画像表示手段に表示され、その後、ユーザによりそれを認める指示がなされると、原稿画像を読取って得た読取画像が原稿画像の色合いと異なる色合いで印刷される。従って、紙幣の画像を読取って印刷しようとした場合には、紙幣の画像が印刷される前に、印刷される画像の色合いが原稿画像である紙幣の色合いと異なる旨が画像表示手段及び外部画像表示手段に表示される。このような表示が紙幣の画像の印刷前になされることにより、紙幣の画像を印刷する行為を中止しようという意識をユーザに働かせることができ、これにより、偽造目的で紙幣の画像を印刷する行為を未然に防ぐことができる。しかも、印刷される画像の色合いが原稿画像である紙幣の色合いと異なる旨に加え、原稿画像である紙幣の色合いと異なる色合いで印刷される画像が表示される。このような表示がなされることにより、紙幣の画像を紙幣と同じ色合いで印刷できないことをより確実にユーザに認識させることができ、これにより、偽造目的で紙幣の画像を印刷する行為をより確実に防ぐことができる。また、原稿画像のサイズが紙幣のサイズと同じである場合に、印刷される画像の色合いが原稿画像の色合いと異なる旨を表示させるため、原稿画像が紙幣の画像であるか否かを画像解析によって判別する必要がなく、従って、画像解析のための多くのデータや処理が不要である。さらに、原稿画像のサイズが紙幣のサイズと同じである場合でも、ユーザにより原稿画像の色合いと異なる色合いの画像が印刷されることを認める指示がなされることにより、原稿画像を読取って得た読取画像が原稿画像の色合いと異なる色合いで印刷されるため、紙幣と同じサイズの紙幣以外の原稿画像については、色合いが原稿画像と異なるものの、色合い以外は原稿画像と同じ画像を印刷することができる。また、原稿画像のサイズが紙幣のサイズと同じであるか否かを判別するための紙幣サイズ情報として、本装置が使用される地域で使用される紙幣及び世界的に使用される紙幣のサイズを示す紙幣サイズ情報だけがパソコン及び本装置に記憶されるため、紙幣サイズ情報を記憶するための記憶容量が少なくて済む。
【００１１】
請求項２の発明によれば、原稿の画像を読取って印刷するとき、原稿画像のサイズが紙幣のサイズと同じである場合には、印刷される画像の色合いが原稿画像の色合いと異なる旨が表示され、その後、ユーザによりそれを認める指示がなされると、原稿画像を読取って得た読取画像が原稿画像の色合いと異なる色合いで印刷される。従って、紙幣の画像を読取って印刷しようとした場合には、紙幣の画像が印刷される前に、印刷される画像の色合いが原稿画像である紙幣の色合いと異なる旨が画像表示手段又は外部画像表示手段に表示される。このような表示が紙幣の画像の印刷前になされることにより、紙幣の画像を印刷する行為を中止しようという意識をユーザに働かせることができ、これにより、偽造目的で紙幣の画像を印刷する行為を未然に防ぐことができる。このような表示が紙幣の画像の印刷前になされることにより、紙幣の画像を印刷する行為を中止しようという意識をユーザに働かせることができ、これにより、偽造目的で紙幣の画像を印刷する行為を未然に防ぐことができる。また、原稿画像のサイズが紙幣のサイズと同じである場合に、印刷される画像の色合いが原稿画像の色合いと異なる旨を表示させるため、原稿画像が紙幣の画像であるか否かを画像解析によって判別する必要がなく、従って、画像解析のための多くのデータや処理が不要である。さらに、原稿画像のサイズが紙幣のサイズと同じである場合でも、ユーザにより原稿画像の色合いと異なる色合いの画像が印刷されることを認める指示がなされることにより、原稿画像を読取って得た読取画像が原稿画像の色合いと異なる色合いで印刷されるため、紙幣と同じサイズの紙幣以外の原稿画像については、色合いが原稿画像と異なるものの、色合い以外は原稿画像と同じ画像を印刷することができる。
【００１２】
請求項３の発明によれば、印刷される画像の色合いが原稿画像の色合いと異なる旨に加え、原稿画像の色合いと異なる色合いで印刷される画像が画像表示手段又は外部画像表示手段に表示される。従って、紙幣の画像を読取って印刷しようとした場合には、紙幣の画像が印刷される前に、印刷される画像の色合いが原稿画像である紙幣の色合いと異なる旨に加え、原稿画像である紙幣の色合いと異なる色合いで印刷される画像が表示される。このような表示がなされることにより、紙幣の画像を紙幣と同じ色合いで印刷できないことをより確実にユーザに認識させることができ、これにより、偽造目的で紙幣の画像を印刷する行為をより確実に防ぐことができる。
【発明を実施するための最良の形態】
【００１３】
以下、本発明を具体化した実施形態による画像印刷装置及び画像印刷システムについて図面を参照して説明する。図１は画像印刷装置及び画像印刷装置に接続されるパソコンの構成を示す。画像印刷装置１は、原稿に描かれている画像を読取って、その読取った画像を印刷用紙２に印刷する装置である。この画像印刷装置１は、外部機器であるパソコン（パーソナルコンピュータ）３に接続して使用できるようになっている。すなわち、画像印刷装置１の動作をパソコン３を介して制御するための制御用のソフトウェアであるプリンタドライバが、パソコン３にインストールされ、パソコン３にインストールされたプリンタドライバに基いて、ユーザがパソコン３を介して画像印刷装置１の各種動作を制御できるようになっている。
【００１４】
パソコン３は、パソコン３を操作するためのキーボード３１と、各種画像を表示する画像表示手段であるディスプレイ（外部画像表示手段）３２とを備えている。パソコン３へのプリンタドライバのインストールは、プリンタドライバが記録されたドライバＣＤ４を用いて行われるようになっている。画像印刷装置１、及びプリンタドライバがインストールされたパソコン３により、画像印刷システム１００が構成される。
【００１５】
画像印刷装置１は、印刷用紙２が装填されるペーパレスト１１と、原稿が載置される原稿台１２と、原稿を押さえるための原稿押さえ板１３と、原稿に描かれた原稿画像を読取る画像読取部（画像読取手段）１４と、印刷用紙２に画像を印刷する印刷部（印刷手段）１５と、画像印刷装置１の各種動作を指示するための操作部１６と、画像印刷装置１の動作に関する各種画像の表示を行う画像表示部（画像表示手段）１７等を備える。
【００１６】
ペーパレスト１１は、筺体１８の背部に設けられている。印刷用紙２は、１枚又は複数枚のものが重ねられて、ペーパレスト１１に載置される。原稿台１２は、透明板から成っており、筺体１８の上面に設けられている。原稿は、画像が描かれている面を下向きにして原稿台１２に載置される。原稿押さえ板１３は、筺体１８の上面に回動自在に設けられており、原稿押さえ板１３を開くことにより、原稿台１２に原稿を載置することができ、原稿押さえ板１３を閉じることにより、原稿台１２に載置された原稿を押さえることができるようになっている。
【００１７】
画像読取部１４は、原稿台１２に載置された原稿に光を照射する光源４１と、画像を読取るための画像読取センサ４２と、画像読取センサ４２を移動させるためのスキャンモータ４３等を備えている。画像読取センサ４２は、スキャンモータ４３の駆動力により、不図示のセンサ移動機構を介して、原稿台１２に沿って移動制御されるようになっている。光源４１は、画像読取センサ４２に一体的に固定されており、画像読取センサ４２と共に移動するようになっている。画像読取部１４は、光源４１を点灯させた状態で、画像読取センサ４２をスキャンモータ４３の駆動力により原稿台１２に沿って移動させながら、画像読取センサ４２により原稿台１２に載置された原稿からの反射光を受光することによって、原稿台１２に載置された原稿の原稿画像を読取る。
【００１８】
印刷部１５は、印刷用紙２を搬送するためのフィードローラ５１と、印刷用紙２にインクを噴射する印刷ヘッド５２等を備えている。フィードローラ５１は、不図示のローラ駆動機構によって、回転制御されるようになっている。印刷ヘッド５２は、不図示のヘッド移動機構によって、印刷用紙２の搬送方向と直交する方向に移動制御されるようになっている。印刷部１５は、ペーパレスト１１に装填されている印刷用紙２を不図示の給紙ローラにより１枚ずつ筺体１８の内部に取り込み、フィードローラ５１により印刷用紙２を搬送すると共に印刷ヘッド５２により印刷用紙２にインクを噴射することによって、印刷用紙２に画像を印刷し、そして、画像印刷後の印刷用紙２を排紙口１８ａから筺体１８の外部に排出する。
【００１９】
操作部１６は、筺体１８の上面に設けられており、画像印刷装置１の各種動作を指示するためにユーザに操作される。画像表示部１７は、筺体１８の上面に設けられており、画像印刷装置１の動作に関連して各種画像を表示する。画像表示部１７は、例えばＬＣＤ（液晶ディスプレイ）から成っている。
【００２０】
このような構成の画像印刷装置１（画像印刷システム１００）は、操作部１６又はパソコン３のキーボード３１により原稿に描かれた画像を読取って印刷する指示がなされると、原稿に描かれた原稿画像を画像読取部１４により読取って、この画像読取部１４により読取って得た読取画像を印刷部１５により印刷用紙２に印刷するようになっている。このとき、原稿画像のサイズが紙幣のサイズと同じである場合には、印刷される画像の色合いが原稿画像の色合いと異なる旨を画像表示部１７及びパソコン３のディスプレイ３２に表示し、その後、操作部１６又はパソコン３のキーボード３１により原稿画像の色合いと異なる色合いの画像が印刷されることを認める指示がなされると、画像読取部１４により読取って得た読取画像を原稿画像の色合いと異なる色合いで印刷するようになっている。
【００２１】
図２は、画像印刷装置１及びパソコン３の電気的ブロック構成を示す。画像印刷装置１は、上述の構成に加え、画像印刷装置１の動作を制御するための制御部２１と、画像処理部２２と、画像サイズ検出部２３と、紙幣サイズメモリ２４と、外部機器接続部２５と、ワークメモリ２６等を備える。制御部２１は、ＣＰＵ２７及びＲＯＭ２８等を有しており、ＲＯＭ２８は、画像印刷装置１の動作を制御するためのファームウェアや各種データを記憶している。
【００２２】
パソコン３は、上述の構成に加え、パソコン３の動作を制御するためのＣＰＵ３３と、ハードディスク３４等を備える。上述のように、パソコン３には、画像印刷装置１の動作をパソコン３を介して制御するための制御用のソフトウェアであるプリンタドライバ２９がインストールされる。パソコン３にインストールされたプリンタドライバ２９は、ハードディスク３４に記憶される。
【００２３】
画像読取部１４の光源４１は、制御部２１による制御のもと、点灯、消灯制御される。画像読取センサ４２は、制御部２１による制御のもと、画像をカラーで読取って、画像に対応するＲ（赤）、Ｇ（緑）、Ｂ（青）の受光信号を出力する。スキャンモータ４３は、制御部２１による制御のもと、回転駆動される。スキャンモータ４３が回転駆動されることにより、光源４１及び画像読取センサ４２が原稿台１２に沿って移動する。画像読取部１４は、制御部２１による制御のもと、光源４１を点灯させた状態で、画像読取センサ４２を原稿台１２に沿って移動させながら、画像読取センサ４２から受光信号を出力することにより、原稿台１２に載置された原稿に描かれた原稿画像をカラーで読取る。印刷部１５は、制御部２１による制御のもと、印刷用紙２にカラーで画像を印刷する。
【００２４】
画像処理部２２は、制御部２１による制御のもと、画像読取センサ４２から出力される受光信号を基に、画像読取部１４により読取って得たカラーの読取画像を表わす画像データを生成する。画像処理部２２により生成された画像データは、制御部２１による制御のもと、ワークメモリ２６に記憶される。
【００２５】
画像サイズ検出部２３は、制御部２１による制御のもと、画像読取センサ４２から出力される受光信号を基に、原稿に描かれた原稿画像のサイズを検出する。画像サイズ検出部２３による原稿画像のサイズの検出は、画像読取センサ４２から出力される受光信号を基に、原稿の縁の位置を検出することにより行われる。画像読取部１４及び原稿サイズ検出部２３等により、原稿画像のサイズを検出する画像サイズ検出手段が構成されている。
【００２６】
紙幣サイズメモリ２４は、紙幣のサイズを示す紙幣サイズ情報を記憶するメモリである。紙幣サイズ情報は、制御部２１による制御のもと、プリンタドライバ２９をパソコン３にインストールするドライバインストール動作において、紙幣サイズメモリ２４に記憶される。
【００２７】
ワークメモリ２６は、制御部２１による制御のもと、画像読取部１４により読取って得た読取画像の画像データ、この読取画像の画像データに対して色合いを変更する処理を行った色合い変更処理後の画像データ、パソコン３との間で送受信する各種データ等を一時的に記憶する。
【００２８】
画像印刷装置１の制御部２１（ＣＰＵ２７）は、操作部１６の操作及びパソコン３からの命令を受けて、ＲＯＭ２８に記憶されているファームウェアに基いて、画像印刷装置１及び画像印刷システム１００の各種動作を制御する。また、パソコン３のＣＰＵ３３は、キーボード３１の操作及び画像印刷装置１からの命令を受けて、プリンタドライバ２９に基いて、画像印刷装置１及び画像印刷システム１００の各種動作を制御する。
【００２９】
つまり、画像印刷装置１及びパソコン３により構成される画像印刷システム１００は、画像印刷装置１のＣＰＵ２７及びパソコン３のＣＰＵ３３による制御のもと、ＲＯＭ２８に記憶されているファームウェア及びパソコン３にインストールされるプリンタドライバ２９に基いて、画像印刷装置１とパソコン３との間で相互に通信を行って、画像印刷装置１及び画像印刷システム１００の各種動作を行う。画像印刷装置１のＣＰＵ２７、画像印刷装置１のＲＯＭ２８（ＲＯＭ２８に記憶されているファームウェア）、パソコン３のＣＰＵ３３、パソコン３のハードディスク３４に記憶されるプリンタドライバ２９等により、画像印刷装置１及び画像印刷システム１００の動作を制御する制御手段が構成されている。
【００３０】
画像印刷システム１００は、プリンタドライバ２９をパソコン３にインストールするドライバインストール動作を行う。また、画像印刷システム１００は、原稿に描かれた原稿画像を画像読取部１４により読取って、画像読取部１４により読取って得た読取画像を印刷部１５により印刷用紙２に印刷する原稿画像印刷動作を行う。
【００３１】
図３は、上記ドライバインストール動作のフローチャートを示す。プリンタドライバ２９のインストールは、上述のように、プリンタドライバ２９が記録されたドライバＣＤ４を用いて行われる。ドライバＣＤ４には、プリンタドライバ２９に加え、ドライバインストール動作を実行するためのインストール用プログラムが記録されている。また、ドライバＣＤ４には、世界の各地域で使用される紙幣のサイズを示す紙幣サイズ情報が世界の各地域と対応付けて記録されている。ドライバインストール動作は、パソコン３のＣＰＵ３３による制御のもと、ドライバＣＤ４に記録されているインストール用プログラムに基いて実行される。
【００３２】
パソコン３のＣＰＵ３３は、ドライバＣＤ４がパソコン３に挿入されると、インストール用プログラムに基いて、ドライバインストール動作を開始し（＃１１）、まず、プリンタドライバ２９をドライバＣＤ４から読取ってパソコン３のハードディスク３４に記憶させる（＃１２）。
【００３３】
続いて、パソコン３のＣＰＵ３３は、パソコン３に設定されている使用言語及び時刻に基いて画像印刷装置１が使用される地域を特定し（＃１３）、画像印刷装置１が使用される地域で使用される紙幣、及び世界的に使用される紙幣であるＵＳドル紙幣、ユーロ紙幣のサイズを示す紙幣サイズ情報を、ドライバＣＤ４から読取ってパソコン３のハードディスク３４に記憶させる（＃１４）。
【００３４】
また、パソコン３のＣＰＵ３３は、パソコン３のハードディスク３４に記憶させるのと同じ紙幣サイズ情報、すなわち画像印刷装置１が使用される地域で使用される紙幣、及び世界的に使用される紙幣であるＵＳドル紙幣、ユーロ紙幣のサイズを示す紙幣サイズ情報を、パソコン３から画像印刷装置１に送信させる（＃１５）。画像印刷装置１の制御部２１は、パソコン３から送信された紙幣サイズ情報、すなわち画像印刷装置１が使用される地域で使用される紙幣、及び世界的に使用される紙幣であるＵＳドル紙幣、ユーロ紙幣のサイズを示す紙幣サイズ情報を、画像印刷装置１の紙幣サイズメモリ２４に記憶させる（＃１６）。
【００３５】
そして、パソコン３のＣＰＵ３３は、インストール動作を終了する（＃１７）。このように、ドライバインストール動作では、プリンタドライバ２９がパソコン３のハードディスク３４に記憶されると共に、画像印刷装置１の使用地域で使用される紙幣、及び世界的に使用される紙幣であるＵＳドル紙幣、ユーロ紙幣のサイズを示す紙幣サイズ情報がパソコン３のハードディスク３４及び画像印刷装置１の紙幣サイズメモリ２４に記憶される。
【００３６】
図４は、上記原稿画像印刷動作のフローチャートを示す。原稿画像印刷動作は、画像印刷装置１のＣＰＵ２７及びパソコン３のＣＰＵ３３による制御のもと、画像印刷装置１のＲＯＭ２８に記憶されているファームウェア及びパソコン３にインストールされているプリンタドライバ２９に基いて、画像印刷装置１とパソコン３との間で相互に通信を行って実行される。
【００３７】
画像印刷装置１の制御部２１は、操作部１６又はパソコン３のキーボード３１により（すなわちユーザにより）原稿画像印刷動作の実行指示がなされると、原稿画像印刷動作を開始する。なお、パソコン３のキーボード３１により原稿画像印刷動作の実行指示がなされた場合には、パソコン３のＣＰＵ３３は、その旨を画像印刷装置１に送信する。
【００３８】
制御部２１は、原稿画像印刷動作を開始すると、まず、画像読取部１４及び原稿サイズ検出部２３により、原稿に描かれている原稿画像のサイズを検出させる（＃２１）。この原稿画像のサイズの検出は、原稿台１２に載置された原稿の原稿画像を画像読取部１４により読取って、この読取動作により画像読取部１４の画像読取センサ４２から出力される受光信号を基に、原稿の縁の位置を画像サイズ検出部２３により検出することによって行われる。なお、このときの画像読取部１４による画像読取動作は、原稿の縁の位置が検出できればよく、処理を速くするために、原稿の縁の位置が検出できる程度の低解像度で行われる。
【００３９】
そして、制御部２１は、原稿画像のサイズが紙幣のサイズと同じであるか否かを判断する（＃２２）。この判断は、＃２１で検出した原稿画像のサイズを紙幣サイズメモリ２４に記憶されている紙幣サイズ情報の示す全ての紙幣のサイズと比較することにより行われる。
【００４０】
ここで、原稿画像のサイズが紙幣のサイズと異なっている場合（すなわち原稿画像のサイズが紙幣サイズメモリ２４に記憶されている紙幣サイズ情報の示す全ての紙幣のサイズと異なっている場合）には（＃２２でＮＯ）、制御部２１は、原稿台１２に載置された原稿の画像を画像読取部１４により読取らせ（＃２３）、その読取動作により得た読取画像を、原稿画像の色合いと同じ色合いで、印刷部１５により印刷させる（＃２４）。すなわち、制御部２１は、画像読取部１４により読取って得た（画像処理部２２により生成された）読取画像の画像データに基いて、原稿画像の色合いと同じ色合いとなるように、印刷部１５により画像を印刷させる。そして、制御部２１は、原稿画像印刷動作を終了する。
【００４１】
一方、原稿画像のサイズが紙幣のサイズと同じ場合（すなわち原稿画像のサイズが紙幣サイズメモリ２４に記憶されている紙幣サイズ情報の示す何れかの紙幣のサイズと同じである場合）には（＃２２でＹＥＳ）、制御部２１は、印刷用紙２に印刷される画像の色合いが原稿画像の色合いと異なる旨のメッセージ画像を、画像表示部１７に表示させる（＃２５）。また、制御部２１は、原稿画像のサイズが紙幣のサイズと同じであることをパソコン３に送信し、パソコン３のＣＰＵ３３は、印刷用紙２に印刷される画像の色合いが原稿画像の色合いと異なる旨のメッセージ画像を、ディスプレイ３２に表示させる（＃２５）。
【００４２】
続いて、制御部２１は、原稿台１２に載置された原稿の画像を画像読取部１４によって読取らせる（＃２６）。そして、制御部２１は、その読取動作により得た（画像処理部２２により生成された）読取画像の画像データをパソコン３に送信し、パソコン３のＣＰＵ３３は、読取画像の色合いが原稿画像の色合いと異なるように、読取画像の画像データに対して色合い変更処理を行う（＃２７）。この色合い変更処理は、例えば、読取画像の緑色の部分を赤色にしたり、黒色の部分を黄色にするなどのように、読取画像の画像データを補正処理することにより行われる。そして、パソコン３のＣＰＵ３３は、その色合い変更処理後の画像データを画像印刷装置１に送信する。
【００４３】
なお、＃２７の色合い変更処理は、画像印刷装置１がパソコン３と接続されずに使用されている場合には、画像印刷装置１の制御部２１によって行われる。また、＃２７の色合い変更処理は、画像印刷装置１がパソコン３と接続されて使用されている場合であっても、画像印刷装置１の制御部２１によって行うようにしてもよい。
【００４４】
そして、制御部２１は、色合い変更処理後の画像データによる画像（例えば、原稿画像の緑色の部分が赤色になったり、黒色の部分が黄色になった画像）を、原稿画像の色合いと異なる色合いで印刷される画像として、画像表示部１７に表示させる（＃２８）。また、パソコン３のＣＰＵ３３も、同様に、色合い変更処理後の画像データによる画像を、原稿画像の色合いと異なる色合いで印刷される画像として、ディスプレイ３２に表示させる（＃２８）。
【００４５】
＃２５及び＃２８の処理により、画像印刷装置１の画像表示部１７及びパソコン３のディスプレイ３２には、印刷用紙２に印刷される画像の色合いが原稿画像の色合いと異なる旨のメッセージ画像、及び原稿画像の色合いと異なる色合いで印刷される画像の両方が表示される。なお、画像印刷装置１の画像表示部１７及びパソコン３のディスプレイ３２には、これらの画像に加え、原稿画像の色合いと異なる色合いの画像が印刷されることを認めるか否かをユーザに確認するメッセージ画像も表示される。
【００４６】
その後、操作部１６又はパソコン３のキーボード３１により（すなわちユーザにより）原稿画像の色合いと異なる色合いの画像が印刷されることを認める認許指示がなされると（＃２９でＹＥＳ）、制御部２１は、上記＃２６において読取って得た読取画像を、原稿画像の色合いと異なる色合いで（すなわち上記＃２８において表示した画像の色合いで）、印刷部１５によって印刷させる（＃３０）。すなわち、制御部２１は、上記＃２７における色合い変更処理後の画像データに基いて、原稿画像の色合いと異なる色合い（例えば、原稿画像の緑色の部分を赤色、黒色の部分を黄色）となるように、印刷部１５により画像を印刷させる。そして、制御部２１は、原稿画像印刷動作を終了する。
【００４７】
なお、＃２９において、認許指示がなされなければ（原稿画像印刷動作を中止する指示がなされるか、又は、認許指示がなさることなく所定時間経過すれば）、制御部２１は、画像を印刷させることなく、原稿画像印刷動作を終了する。
【００４８】
このような構成の画像印刷装置１（画像読取システム１００）によれば、原稿の画像を読取って印刷するとき、原稿画像のサイズが紙幣のサイズと同じである場合には、印刷される画像の色合いが原稿画像の色合いと異なる旨、及び原稿画像の色合いと異なる色合いで印刷される画像が画像表示部１７等に表示され、その後、ユーザによりそれを認める指示がなされると、原稿画像を読取って得た読取画像が原稿画像の色合いと異なる色合いで印刷される。
【００４９】
従って、紙幣の画像を読取って印刷しようとした場合には、紙幣の画像が印刷される前に、印刷される画像の色合いが原稿画像である紙幣の色合いと異なる旨が画像表示部１７等に表示される。このような表示が紙幣の画像の印刷前になされることにより、紙幣の画像を印刷する行為を中止しようという意識をユーザに働かせることができ、これにより、偽造目的で紙幣の画像を印刷する行為を未然に防ぐことができる。しかも、印刷される画像の色合いが原稿画像である紙幣の色合いと異なる旨に加え、原稿画像である紙幣の色合いと異なる色合いで印刷される画像が表示される。このような表示がなされることにより、紙幣の画像を紙幣と同じ色合いで印刷できないことをより確実にユーザに認識させることができ、これにより、偽造目的で紙幣の画像を印刷する行為をより確実に防ぐことができる。
【００５０】
また、原稿画像のサイズが紙幣のサイズと同じである場合に、印刷される画像の色合いが原稿画像の色合いと異なる旨を表示させるため、原稿画像が紙幣の画像であるか否かを画像解析によって判別する必要がなく、従って、画像解析のための多くのデータや処理が不要である。さらに、原稿画像のサイズが紙幣のサイズと同じである場合でも、ユーザにより原稿画像の色合いと異なる色合いの画像が印刷されることを認める指示がなされることにより、原稿画像を読取って得た読取画像が原稿画像の色合いと異なる色合いで印刷されるため、紙幣と同じサイズの紙幣以外の原稿画像については、色合いが原稿画像と異なるものの、色合い以外は原稿画像と同じ画像を印刷することができる。
【００５１】
また、原稿画像のサイズが紙幣のサイズと同じであるか否かを判別するための紙幣サイズ情報として、画像印刷装置１が使用される地域で使用される紙幣及び世界的に使用される紙幣のサイズを示す紙幣サイズ情報だけがパソコン３及び画像印刷装置１に記憶されるため、紙幣サイズ情報を記憶するための記憶容量が少なくて済む。
【００５２】
なお、本発明は、上記実施形態の構成に限られず、種々の変形が可能である。例えば、紙幣サイズ情報は、プリンタドライバをインストールするドライバインストール動作においてドライバＣＤから読取って紙幣サイズメモリに記憶させる以外に、別途の操作によってインターネット経由で取得して紙幣サイズメモリに記憶させるようにしてもよく、また、予め紙幣サイズメモリに記憶しておいてもよい。また、ユーザが紙幣と同じサイズの原稿画像を印刷しようとしたときに、紙幣と同じサイズの原稿画像を印刷したこと示す履歴データが画像印刷装置又はパソコンに記録される旨のメッセージ画像を、画像印刷装置の画像表示部及びパソコンのディスプレイに表示させるようにしてもよい。
【図面の簡単な説明】
【００５３】
【図１】本発明の一実施形態に係る画像印刷システムを構成する画像印刷装置及びパソコンの概略構成を示す斜視図。
【図２】同画像印刷システムを構成する画像印刷装置及びパソコンの電気的ブロック構成図。
【図３】同画像印刷システムのドライバインストール動作を示すフローチャート。
【図４】同画像印刷システムの原稿画像印刷動作を示すフローチャート。
【符号の説明】
【００５４】
１    画像印刷装置
２    印刷用紙
３    パソコン
４    ドライバＣＤ
１１    ペーパレスト
１２  原稿台
１３  原稿押さえ板
１４  画像読取部
１５  印刷部
１６  操作部
１７  画像表示部
１８    筺体
１８ａ    排紙口
２１    制御部
２２    画像処理部
２３    画像サイズ検出部
２４    紙幣サイズメモリ
２５    外部機器接続部
２６    ワークメモリ
２７    ＣＰＵ
２８    ＲＯＭ
２９    プリンタドライバ
３１    キーボード
３２    ディスプレイ
３３    ＣＰＵ
３４    ハードディスク
４１    光源
４２    画像読取センサ
４３    スキャンモータ
５１    フィードローラ
５２    印刷ヘッド
１００    画像印刷システム
【図１】
2008211724.tif 000003
【図２】
2008211724.tif 000004
【図３】
2008211724.tif 000005
【図４】
2008211724.tif 000006